(57)【特許請求の範囲】
【請求項１】
第１の筐体に対し第２の筐体がヒンジを介して回動可能に結合され、第１の筐体と第２の筐体を電気的に接続する配線をヒンジと別の個所に配置して、配線を覆う保護カバーを備える筐体装置であって、
前記保護カバーの一端を前記第１の筐体に、他端を前記第２の筐体にそれぞれ取り付けるとともに、
前記ヒンジの回動、または、前記配線の屈曲動作に追従して、前記保護カバーを屈曲可能に形成し、
前記第１の筐体には、前記第２の筐体を重ねた状態で前記ヒンジ及び保護カバーを収容する窪み部が形成され、
前記第１の筐体と前記第２の筐体を重ねた状態において前記保護カバーが前記窪み部に収容された際には、当該保護カバーが折り畳まれて形成される内部空間に、前記配線の一部が収容されることを特徴とする筐体装置。
【請求項２】
前記保護カバーは、撓曲性材料で帯状に形成されていることを特徴とする請求項１に記載の筐体装置。
【請求項３】
前記ヒンジは、前記第１の筐体の取り付けられる第１ヒンジ軸と、前記第２の筐体の取り付けられる第２ヒンジ軸と、これら第１ヒンジ軸及び第２ヒンジ軸を支持するアームと、を備えることを特徴とする請求項１または２に記載の筐体装置。
【請求項４】
請求項１から３のいずれか一項に記載の筐体装置と、
前記第１の筐体に設けた撮影レンズと、
前記第２の筐体に設けたモニタと、を備えることを特徴とする電子機器。
【発明の詳細な説明】
【技術分野】
【０００１】
本発明は、二つの筐体がヒンジを介して回動可能に結合されて、両筐体を電気的に接続する配線を覆うカバーを備える筐体装置と、その筐体装置を備える電子機器に関する。
【背景技術】
【０００２】
本体背面にヒンジを介して液晶モニタが回動可能に結合されるカメラにおいて、液晶モニタで画像を表示するためには、本体とＦＰＣ（フレキシブル配線基板）あるいは同軸線等の配線を用いて電気的に接続する必要がある。
【０００３】
特許文献１において、カメラの本体と液晶モニタを電気的に接続するＦＰＣを、ヒンジとは別の個所に配置して、そのＦＰＣを覆う薄板状のＦＰＣガードを設けた構造が提案されている。
【先行技術文献】
【特許文献】
【０００４】
【特許文献１】特開２０１５−５８８５号公報
【発明の概要】
【発明が解決しようとする課題】
【０００５】
しかし、特許文献１のＦＰＣガードは、ＦＰＣを覆う単純な薄板状のもので、本体に対する液晶モニタの角度によってはＦＰＣが露出してしまい、本体に対する液晶モニタの回動域全域にわたってＦＰＣを常時覆った状態は得られない。
【０００６】
本発明の課題は、二つの筐体がヒンジを介して回動可能に結合され、両筐体を電気的に接続する配線をヒンジと別の個所に配置して、配線を覆う保護カバーを備える筐体装置において、筐体の回動域全域にわたって配線を常時覆った状態が得られるとともに、両筐体を重ねた状態において、両筐体と干渉せずに、保護カバーが配線の屈曲動作に追従して配線を覆うことができるようにすることである。
【課題を解決するための手段】
【０００７】
以上の課題を解決するため、本発明は、
第１の筐体に対し第２の筐体がヒンジを介して回動可能に結合され、第１の筐体と第２の筐体を電気的に接続する配線をヒンジと別の個所に配置して、配線を覆う保護カバーを備える筐体装置であって、
前記保護カバーの一端を前記第１の筐体に、他端を前記第２の筐体にそれぞれ取り付けるとともに、
前記ヒンジの回動、または、前記配線の屈曲動作に追従して、前記保護カバーを屈曲可能に形成し、
前記第１の筐体には、前記第２の筐体を重ねた状態で前記ヒンジ及び保護カバーを収容する窪み部が形成され、
前記第１の筐体と前記第２の筐体を重ねた状態において前記保護カバーが前記窪み部に収容された際には、当該保護カバーが折り畳まれて形成される内部空間に、前記配線の一部が収容されることを特徴とする。
【発明の効果】
【０００８】
本発明によれば、二つの筐体がヒンジを介して回動可能に結合され、両筐体を電気的に接続する配線をヒンジと別の個所に配置して、配線を覆う保護カバーを備える筐体装置において、筐体の回動域全域にわたって配線を常時覆った状態が得られるとともに、両筐体を重ねた状態において、両筐体と干渉せずに、保護カバーが配線の屈曲動作に追従して配線を覆うことができる。
【図面の簡単な説明】
【０００９】
【図１】本発明を適用した電子機器の一実施形態の構成を示すもので、両筐体が重なった状態のカメラを正面側から示す斜視図（ａ）と、第２の筐体が上向きに１８０°回動して第１の筐体上に起立した状態を示した図（ｂ）である。
【図２】図１（ｂ）の背面図で配線を省略した図（ａ）と、配線を示した図（ｂ）である。
【図３】図２（ｂ）の配線を覆う保護カバーを設けた状態を示した図である。
【図４】図３の保護カバーの拡大図である。
【図５】図３のヒンジの拡大図である。
【図６】図１（ａ）の両筐体が重なった状態の配線及び保護カバー部分を示す拡大縦断面図である。
【発明を実施するための形態】
【００１０】
以下、図を参照して本発明を実施するための形態を詳細に説明する。
（実施形態）
図１及び図２は本発明を適用した電子機器の一実施形態の構成としてカメラを示すもので、１は第１の筐体（本体）、２は第２の筐体（液晶モニタ）、３はヒンジ、４は配線（ＦＰＣ）である。
【００１１】
図示のように、第１の筐体である本体１の背面上部に対し第２の筐体である液晶モニタ２がヒンジ３を介して回動可能に結合されている。
なお、本体１には、撮影レンズを含むレンズ鏡筒１ａが正面側に備えられて、液晶モニタ２を重ねた状態でヒンジ３を収容する窪み部１ｂが背面側に形成されている。
【００１２】
図１（ａ）は本体１の背面に液晶モニタ２が重なった状態のカメラを正面側から示したものである。
【００１３】
図１（ｂ）は液晶モニタ２が上向きに１８０°回動して本体１上に起立した状態を示したもので、すなわち、撮影者が自分撮りできる状態を示している。
【００１４】
図２（ａ）は図１（ｂ）の背面図で配線を省略して示したもので、図示のように、ヒンジ３の後述する左右一対のアーム３ｃの間において、本体１背面の窪み部１ｂに配線導出用のスリット１ｃが形成されて、本体１背面に重ねた状態での液晶モニタ２背面上部の配線導出用のスリット２ｃが形成されている。
【００１５】
図２（ｂ）は配線を示したもので、本体１内部の図示しない本体側基板と液晶モニタ２内部の図示しない液晶側基板とを電気的に接続する配線であるＦＰＣ４が、図示のように、本体１背面の窪み部１ｂのスリット１ｃと液晶モニタ２背面のスリット２ｃから外部に導出されている。
【００１６】
図３は図２（ｂ）のＦＰＣ４を覆う保護カバー５を設けた状態を示したもので、図示のように、ＦＰＣ４を覆う帯状のＦＰＣ保護カバー５を設けて、ＦＰＣ４を保護している。
【００１７】
図４はＦＰＣ保護カバー５を示すもので、ＦＰＣ保護カバー５は、図示のように、モニタ側への回動軸５ａを左右に有する一端部片５ｂと、本体側への回動軸５ｃを左右に有する他端部片５ｄと、その間の撓曲性材料による薄肉成形部５ｅを各々介して連続する中間部片５ｆとが一体の帯状に形成されている。
なお、一端部片５ｂ左右の回動軸５ａを本体１背面の窪み部１ｂのスリット１ｃに挿入して抜け止めし、他端部片５ｄ左右の回動軸５ｃを液晶モニタ２背面のスリット２ｃに挿入して抜け止めする。
【００１８】
以上のＦＰＣ保護カバー５は、回動軸５ａを含む一端部片５ｂ、回動軸５ｃを含む他端部片５ｄ、及び中間部片５ｆを硬い樹脂で、その間の薄肉成形部５ｅを撓曲性材料のエラストマとして２色成形により作製して、必要な強度を確保しながら、薄肉成形部５ｅにより一端部片５ｂ、他端部片５ｄ、及び中間部片５ｆを容易に屈曲できる。
【００１９】
図５はヒンジ３を示すもので、ヒンジ３は、図示のように、本体側取付部３ａとモニタ側取付部３ｂを湾曲形状をなす左右一対のアーム３ｃで連結している。
すなわち、図２に示すように、後側に突出する湾曲形状のアーム３ｃの下端を第１ヒンジ軸３ｄで本体側取付部３ａの端部にヒンジ結合して、アーム３ｃの上端を第２ヒンジ軸３ｅでモニタ側取付部３ｂの端部にヒンジ結合している。
【００２０】
そして、左右の第１ヒンジ軸３ｄの間を連結軸３ｆで固定している。この連結軸３ｆにはフリクションプレート３ｇが接続されている。
このフリクションプレート３ｇにより、本体１に対する液晶モニタ２のヒンジ３の第１ヒンジ軸３ｄ及び第２ヒンジ軸３ｅを支点とする回動の際に、連結軸３ｆの回動に抵抗して必要なトルクを発生させる。
【００２１】
以上のヒンジ３は、本体側取付部３ａを本体１背面の窪み部１ｂにビス止め固定して、モニタ側取付部３ｂを液晶モニタ２背面にビス止め固定する。
【００２２】
図６は液晶モニタ２が本体１背面側に閉じた状態のＦＰＣ保護カバー５部分の縦断面を示すもので、液晶モニタ２が本体１背面側に閉じた状態において、ＦＰＣ保護カバー５は、図示のように、薄肉成形部５ｅが各々屈曲することにより一端部片５ｂ、他端部片５ｄ、及び中間部片５ｆが折り畳まれた形状になり、本体１背面の窪み部１ｂに収容されて、その内部に空間が形成される。
そのＦＰＣ保護カバー５の一端部片５ｂ、他端部片５ｄ、及び中間部片５ｆが折り畳まれて囲まれた内部空間に、図示のように、ＦＰＣ４のループ形状が収容される。
なお、このＦＰＣ４のループ形状は、本体１に対する液晶モニタ２の開閉によるＦＰＣ４の必要長さの差により発生する。
【００２３】
以上のように、カメラの本体１内部と液晶モニタ２内部とを電気的に接続するＦＰＣ４をヒンジ３の左右のアーム３ｃとは別にその間に配置し、そのＦＰＣ４の外側を覆うＦＰＣ保護カバー５を設けたことで、ＦＰＣ４を保護することができる。
このように、ＦＰＣ４をヒンジ３の左右のアーム３ｃの間に配置することにより、小型でシンプルな構造を実現することができる。
【００２４】
そして、液晶モニタ２を本体１背面側に閉じた状態では、ＦＰＣ保護カバー５の一端部片５ｂ、他端部片５ｄ、及び中間部片５ｆが折り畳まれて本体１背面の窪み部１ｂに収容されて、その折り畳まれた一端部片５ｂ、他端部片５ｄ、及び中間部片５ｆにより囲まれた内部空間にＦＰＣ４のループ形状を収容するため、本体１の厚さに影響しないで、ＦＰＣ保護カバー５を設置することができる。
【００２５】
以上、実施形態のカメラによれば、本体１内部と液晶モニタ２内部を電気的に接続するＦＰＣ４をヒンジ３のアーム３ｃと別の個所に配置して、ＦＰＣ４を覆うＦＰＣ保護カバー５の一端部片５ｂを本体１に取り付けて、他端部片５ｄを液晶モニタ２に取り付けるとともに、ＦＰＣ保護カバー５をヒンジ３の回動、または、ＦＰＣ４の屈曲動作に追従して屈曲可能に形成している。
従って、本体１に対する液晶モニタ２の回動域全域にわたってＦＰＣ４を常時覆った状態が得られるとともに、本体１背面に液晶モニタ２を重ねた状態において、本体１及び液晶モニタ２と干渉せずに、ＦＰＣ保護カバー５をヒンジ３の回動、または、ＦＰＣ４の屈曲動作に追従させてＦＰＣ４を覆うことができる。
【００２６】
（変形例）
ＦＰＣ保護カバー５は、硬い樹脂とエラストマなどの柔らかい樹脂の２色成形で構成する方法の他に、カバーが折り畳まれ、かつ、一定の強度を保てる構造であれば、例えば硬質の材料（樹脂、金属など）を時計のメタルバンドや戦車の無限軌道のように屈曲可能に連結結合させてもよい。また、例えばエラストマ部をフィルムや布にし、インサート成形してもよい。また、例えばＰＰ（ポリプロピレン）など、エラストマ部の範囲を極薄成形できる樹脂で一体成形してもよい。
【００２７】
（他の変形例）
以上の実施形態においては、カメラとしたが、本発明はこれに限定されるものではなく、カメラを備える携帯電話など他の電子機器であってもよい。
また、実施形態では、ＦＰＣとしたが、同軸線等の配線であってもよい。
さらに、筐体、窪み部及び保護カバーの形状等も任意であり、その他、具体的な細部構造等についても適宜に変更可能であることは勿論である。
【００２８】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
第１の筐体に対し第２の筐体がヒンジを介して回動可能に結合され、第１の筐体と第２の筐体を電気的に接続する配線をヒンジと別の個所に配置して、配線を覆う保護カバーを備える筐体装置であって、
前記保護カバーの一端を前記第１の筐体に、他端を前記第２の筐体にそれぞれ取り付けるとともに、
前記ヒンジの回動、または、前記配線の屈曲動作に追従して、前記保護カバーを屈曲可能に形成したことを特徴とする筐体装置。
＜請求項２＞
前記第１の筐体には、前記第２の筐体を重ねた状態で前記ヒンジ及び保護カバーを収容する窪み部が形成されていることを特徴とする請求項１に記載の筐体装置。
＜請求項３＞
前記第１の筐体と前記第２の筐体を重ねた状態において前記保護カバーが前記窪み部に収容された際には、当該保護カバーが折り畳まれて形成される内部空間に、前記配線の一部が収容されることを特徴とする請求項１または２に記載の筐体装置。
＜請求項４＞
前記保護カバーは、撓曲性材料で帯状に形成されていることを特徴とする請求項１から３のいずれか一項に記載の筐体装置。
＜請求項５＞
前記ヒンジは、前記第１の筐体の取り付けられる第１ヒンジ軸と、前記第２の筐体の取り付けられる第２ヒンジ軸と、これら第１ヒンジ軸及び第２ヒンジ軸を支持するアームと、を備えることを特徴とする請求項１から４のいずれか一項に記載の筐体装置。
＜請求項６＞
請求項１から５のいずれか一項に記載の筐体装置と、
前記第１の筐体に設けた撮影レンズと、
前記第２の筐体に設けたモニタと、を備えることを特徴とする電子機器。
【符号の説明】
【００２９】
１  第１の筐体
１ａ  レンズ鏡筒
１ｂ  窪み部
１ｃ  配線導出用のスリット
２  第２の筐体
２ｃ  配線導出用のスリット
３  ヒンジ
３ａ  第１の筐体側取付部
３ｂ  第２の筐体側取付部
３ｃ  アーム
３ｄ  第１ヒンジ軸
３ｅ  第２ヒンジ軸
３ｆ  連結軸
３ｇ  フリクションプレート
４  配線
５  保護カバー
５ａ  回動軸
５ｂ  一端部片
５ｃ  回動軸
５ｄ  他端部片
５ｅ  薄肉成形部
５ｆ  中間部片
【図１】
0006458518.tif 000002
【図２】
0006458518.tif 000003
【図３】
0006458518.tif 000004
【図４】
0006458518.tif 000005
【図５】
0006458518.tif 000006
【図６】
0006458518.tif 000007